(57)【特許請求の範囲】
【請求項１】
ヘルメット用内装物を取付対象に取り付けるヘルメット用内装物の取付構造であって、
前記ヘルメット用内装物に含まれて可撓性を有した取付部と、
前記取付対象に含まれて前記取付部が留まる被取付部とを備え、
前記取付部は、
取付環状部と、
前記取付環状部と一体である固定端を有し、かつ、前記取付環状部の環内に自由端を有する片持ち梁状を有した取付可撓部と、
前記取付可撓部の自由端に位置し、前記被取付部に留まる構造を有した留め部とを備え、
前記取付部は、環形状を有するヘルメット用ヘッドバンドに固定端を有した片持ち梁状を有する取付本体部であって、前記取付環状部の一部である連結部分と一体であって、前記取付環状部よりも高い剛性を有する帯状を有した前記取付本体部をさらに備え、
前記取付可撓部の固定端は、前記取付可撓部の自由端よりも前記連結部分から離れている
ヘルメット用内装物の取付構造。
【請求項２】
前記ヘルメット用内装物は、ヘルメット用ヘッドバンドであり、
前記ヘルメット用内装物の取付構造は、前記ヘルメット用ヘッドバンドに含まれる可撓性を有したバンド本体部をさらに備え、
前記バンド本体部は、
前記バンド本体部の両端部であって相互に連結可能とした一対のバンド端部と、
前記一対のバンド端部に挟まれたバンド中央部と、
前記バンド中央部がそれの延在方向に有する各端部と前記バンド端部とを連結するラダー状を有した一対のバンド連結部とを備え、
前記バンド中央部の延在方向と、前記各バンド連結部の延在方向とが相互に交差し、
前記各バンド連結部は、前記バンド連結部の延在方向に延びる一対の連結フレームと、前記バンド中央部の延在方向に延びて前記一対の連結フレームを架橋する架橋フレームとを備える
請求項１に記載のヘルメット用内装物の取付構造。
【請求項３】
前記バンド本体部は、前記一対のバンド端部が連結された状態で環形状を有し、
一方のバンド端部は、当該バンド端部の延在方向に延びる表面を有した帯状部と、前記帯状部の延在方向に沿って前記帯状部の表面に並ぶ複数の調整歯とを備え、
他方のバンド端部は、前記調整歯と噛み合うバンド留め具を備え、
前記帯状部は、前記環形状に追従した曲面状を有し、
前記一方のバンド端部は、相互に隣り合う前記調整歯を結び前記環形状に追従した曲線状を有する補強部を備える
請求項２に記載のヘルメット用内装物の取付構造。
【請求項４】
前記ヘルメット用内装物は、ヘルメット用ヘッドバンドであり、
前記ヘルメット用内装物の取付構造は、
複数の前記取付部と、
前記ヘルメット用ヘッドバンドに含まれる可撓性を有したバンド本体部とを備え、
前記各取付部において、前記取付可撓部の固定端と前記連結部分とが前記取付可撓部の自由端を挟んで相互に対向し、前記取付対象に対して前記バンド本体部を吊下げる
請求項１に記載のヘルメット用内装物の取付構造。
【請求項５】
帽体と、ヘルメット用内装物とを含み、
請求項１から４のいずれか一項に記載のヘルメット用内装物の取付構造を備える
ヘルメット。
【発明の詳細な説明】
【技術分野】
【０００１】
本発明は、ヘルメット用ヘッドバンドやハンモックなどの内装物をそれの取付対象に取り付けるヘルメット用内装物の取付構造、および、その取付構造を備えるヘルメットに関する。
【背景技術】
【０００２】
ヘルメットは、ヘルメットの外殻を構成する半球状を有した帽体と、ヘルメット用内装物の一例であるヘルメット用ヘッドバンドとを備える（例えば、特許文献１を参照）。ヘルメット用ヘッドバンドの延在方向において、ヘルメット用ヘッドバンドにおける一方の端部は、バンド留め具を備え、バンド留め具は、ヘルメット用ヘッドバンドにおける他方の端部を留める。そして、バンド留め具に留められるベルトの位置が変わることによって、ヘルメット用ヘッドバンドが作る環の大きさが頭部の大きさに合わせられる。
【先行技術文献】
【特許文献】
【０００３】
【特許文献１】特開２０１３−１０２８３９号公報
【発明の概要】
【発明が解決しようとする課題】
【０００４】
ところで、ヘルメットを着用する着用者の頭部は、頭部の周方向における大きさのみに限らず、頭部が有する形状に関しても着用者ごとに異なる。そして、上述したヘルメットにおいては、着用者の頭部を保護する性能を高めることや、ヘルメット用ヘッドバンドに対して着用者が抱く違和感を抑えることなどを目的として、着用者の頭部が有する形状と、ヘルメット用ヘッドバンドやハンモックなどのヘルメット用内装物が作る形状との整合性を高める技術が望まれている。
【０００５】
本発明は、着用者の頭部の形状とヘルメット用内装物が作る形状との整合性を高めることを可能としたヘルメット用内装物の取付構造、および、ヘルメットを提供することを目的とする。
【課題を解決するための手段】
【０００６】
上記課題を解決するためのヘルメット用内装物の取付構造は、ヘルメット用内装物を取付対象に取り付けるヘルメット用内装物の取付構造であって、前記ヘルメット用内装物に含まれて可撓性を有した取付部と、前記取付対象に含まれて前記取付部が留まる被取付部とを備える。そして、前記取付部は、取付環状部と、前記取付環状部と一体である固定端を有し、かつ、前記取付環状部の環内に自由端を有する片持ち梁状を有した取付可撓部と、前記取付可撓部の自由端に位置し、前記被取付部に留まる構造を有した留め部とを備える。
【０００７】
上述したヘルメット用内装物の取付構造によれば、取付部が被取付部に留められた状態において、取付部に対する被取付部の相対的な位置に合わせて、取付部に含まれる取付可撓部は撓んだり捩れたりする。それゆえに、取付対象に対するヘルメット用内装物の相対的な位置を取付可撓部の変形によって広い範囲で変えることが可能である。結果として、着用者の頭部の形状とヘルメット用内装物の形状との整合性を高めることが可能である。
【０００８】
上記ヘルメット用内装物の取付構造において、前記取付部は、前記取付環状部の一部である連結部分と一体であって、前記取付環状部よりも高い剛性を有する帯状を有した取付本体部をさらに備え、前記取付可撓部の固定端は、前記取付可撓部の自由端よりも前記連結部分から離れてもよい。
【０００９】
上記ヘルメット用内装物の取付構造であれば、取付可撓部の固定端と一体である取付環状部が、取付環状部よりも高い剛性を有する取付本体部と一体であるため、取付部の機械的な耐性を高めることが可能である。
【００１０】
そして、取付可撓部の固定端が取付環状部と一体であり、かつ、取付可撓部の固定端が取付可撓部の自由端よりも連結部分から離れているため、取付可撓部から取付環状部に伝わる応力に従って取付環状部も変形しやすい。それゆえに、取付可撓部の自由端が変位する範囲を取付環状部の変位によって広げることが可能であって、着用者の頭部の形状とヘルメット用内装物の形状との整合性を、取付環状部の変形によって、さらに高めることが可能である。
【００１１】
上記ヘルメット用内装物の取付構造において、前記ヘルメット用内装物は、ヘルメット用ヘッドバンドであり、前記ヘルメット用内装物の取付構造は、前記ヘルメット用内装物に含まれる可撓性を有したバンド本体部をさらに備えてもよい。このバンド本体部は、前記バンド本体部の両端部であって相互に連結可能とした一対のバンド端部と、前記一対のバンド端部に挟まれたバンド中央部と、前記バンド中央部がそれの延在方向に有する各端部と前記バンド端部とを連結するラダー状を有した一対のバンド連結部とを備えてもよい。そして、前記バンド中央部の延在方向と、前記各バンド連結部の延在方向とが相互に交差し、前記各バンド連結部は、前記バンド連結部の延在方向に延びる一対の連結フレームと、前記バンド中央部の延在方向に延びて前記一対の連結フレームを架橋する架橋フレームとを備えてもよい。
【００１２】
上記ヘルメット用内装物の取付構造によれば、バンド本体部における各バンド連結部が、バンド中央部の延在方向と交差する方向に延びるラダー状を有し、各バンド連結部に含まれる架橋フレームが、バンド中央部の延在方向に延びる。ここで、バンド本体部が環形状を作るとき、そのバンド中央部を含む面内から突き出るように各バンド連結部は延び、かつ、一対のバンド端部を介して各バンド連結部は相互に連結される。すなわち、各バンド連結部は、バンド中央部を含む面から突き出るように延び、かつ、その面外において相互に連結される。この際、各バンド連結部に含まれる架橋フレームが、バンド中央部を含む面とほぼ平行な構造体であるため、各バンド連結部に含まれる一対の連結フレームに対しては、こうした架橋フレームが共通する折れ線として機能し得る。結果として、架橋フレームを折れ線として各バンド連結部が同じ方向に折れ曲がりやすいため、着用者の頭部の形状とヘルメット用内装物の形状との整合性を高めること、特に、着用者の頭部における一部とバンド端部との位置の整合性を高めることが可能である。
【００１３】
上記ヘルメット用内装物の取付構造において、前記バンド本体部は、前記一対のバンド端部が連結された状態で環形状を有する。一方のバンド端部は、当該バンド端部の延在方向に延びる表面を有した帯状部と、前記帯状部の延在方向に沿って前記帯状部の表面に並ぶ複数の調整歯とを備え、他方のバンド端部は、前記調整歯と噛み合うバンド留め具を備えてもよい。そして、前記帯状部は、前記環形状に追従した曲面状を有し、前記一方のバンド端部は、相互に隣り合う前記調整歯を結び前記環形状に追従した曲線状を有する補強部を備えてもよい。
【００１４】
上記ヘルメット用内装物の取付構造によれば、一方のバンド端部を構成する帯状部が環形状に追従した曲面状を有し、また、そのバンド端部を構成する複数の調整歯が、同じく環形状に追従した曲線状を有する補強部によって結ばれている。それゆえに、一方のバンド端部全体の有する形状を環形状に追従させることが容易であって、一方のバンド端部が有する形状を着用者の頭部の一部に整合性させる作業が容易でもある。
【００１５】
上記ヘルメット用内装物の取付構造において、前記ヘルメット用内装物は、ヘルメット用ヘッドバンドであり、前記ヘルメット用内装物の取付構造は、複数の前記取付部と、前記ヘルメット用ヘッドバンドに含まれる可撓性を有したバンド本体部とを備え、前記各取付部において、前記取付可撓部の固定端と前記連結部分とが前記取付可撓部の自由端を挟んで相互に対向し、前記取付対象に対して前記バンド本体部を吊下げてもよい。
【００１６】
バンド本体部が環形状を作り、かつ、その環形状の有する径が縮むとき、バンド本体部の全体は環形状の中心に向けて変位する。ここで、上記ヘルメット用ヘッドバンドの取付構造によれば、各取付可撓部の自由端においてそれの変位する範囲が広げられるため、上述したようなバンド本体部の変位の要請に対して取付部が適応することも容易である。ひいては、着用者がヘルメット用ヘッドバンドに対して抱く違和感を効果的に抑えることが可能である。
上記課題を解決するためのヘルメットは、帽体と、ヘルメット用内装物とを含み、上記ヘルメット用内装物の取付構造を備える。
【発明の効果】
【００１７】
本発明によれば、着用者の頭部の形状とヘルメット用内装物の形状との整合性を高めることが可能である。
【図面の簡単な説明】
【００１８】
【図１】ヘルメット用ヘッドバンドの側面構造を示す側面図。
【図２】ヘルメット用ヘッドバンドの平面構造を示す平面図。
【図３】ヘルメット用ヘッドバンドが備えるバンド端部の斜視構造を示す斜視図。
【図４】ヘルメット用ヘッドバンドが備える取付部を拡大して示す拡大斜視図。
【図５】ヘルメット用ヘッドバンドの取付構造の作用を帽体と共に示す作用図。
【発明を実施するための形態】
【００１９】
ヘルメット用内装物の取付構造、および、それを備えるヘルメットを具体化した一実施の形態を以下に示す。
【００２０】
図１が示すように、ヘルメット用内装物の一例であるヘルメット用ヘッドバンドは、可撓性を有したバンド本体部１０と、バンド本体部１０と一体である可撓性を有した４つの取付部２０とを備える。ヘルメット用ヘッドバンドは、例えば、低密度ポリエチレン（ＬＤＰＥ）、直鎖状低密度ポリエチレン（Ｌ−ＬＤＰＥ）、高密度ポリエチレン（ＨＤＰＥ）、ポリプロピレン（ＰＰ）、ポリアセタール（ＰＯＭ）、ポリアミド（ＰＡ）、熱可塑性エラストマー（ＴＰＥ）、シリコーン樹脂などの樹脂から形成される。
【００２１】
バンド本体部１０は、バンド中央部１１と、バンド中央部１１を挟む左右一対のバンド連結部１２と、一対のバンド連結部１２を挟む左右一対のバンド端部１３,１４とを備える。一方のバンド端部１３は、そのバンド端部１３の延在方向に沿って延びる表面を有した帯状部１３Ａと、帯状部１３Ａの表面に並ぶ複数の調整歯１３Ｂとを備える。他方のバンド端部１４は、調整歯１３Ｂと噛み合うヘッドバンド用留め具（以下、単にバンド留め具１４Ｂという）を備える。
【００２２】
各取付部２０は、取付部２０の先端に位置する取付環状部２２と、取付可撓部２３と、留め部２４とを備える。取付可撓部２３は、取付環状部２２と一体である固定端２３Ａを有し、かつ、取付環状部２２の環内に自由端を有する片持ち梁状を有する。留め部２４は、取付可撓部２３の自由端に位置し、被取付部Ｆに留まる構造を有する（図４参照）。
【００２３】
例えば、被取付部Ｆの先端が取付孔Ｈを有する構成であれば、留め部２４は、被取付部Ｆが有する取付孔Ｈに嵌合する一対の鍵爪として構成され、一対の鍵爪の間隙が縮められることによって、取付孔Ｈから外される。すなわち、取付部２０の先端は、被取付部Ｆに留まる構造を有した留め部２４と、留め部２４の周囲にコ字状を有した貫通孔２２Ｈとを備え、こうした貫通孔２２Ｈの形状によって、片持ち梁状の取付可撓部２３と取付環状部２２とが取付部２０の先端に区画される。
【００２４】
取付部２０の先端に位置する取付可撓部２３は、取付可撓部２３と取付環状部２２との隙間である貫通孔２２Ｈを用い、取付部２０に対する被取付部Ｆの相対的な位置に合わせて、撓んだり捩れたりする。
【００２５】
このようなヘルメット用内装物の取付構造とすることにより、取付対象に対するヘルメット用ヘッドバンドの相対的な位置を、広い範囲で変えることが可能である。結果として、着用者の頭部の形状とヘルメット用ヘッドバンドの環形状との整合性を高めることが可能である。
【００２６】
なお、以下の説明においては、ヘルメット用内装物の取付構造の一実施形態として、各取付部２０が、取付本体部２１と、取付部２０の先端に位置する取付環状部２２とを備え、取付環状部２２の一部である連結部分２２Ａが、取付本体部２１と一体成形の場合を示すが、連結部分２２Ａを別部材として設けることでも構わない。要するに、ヘルメット用内装物が、上記取付部２０と被取付部Ｆとの関係が維持されるような取付構造を有していれば良い。
【００２７】
また、一実施形態として、取付本体部２１は、バンド本体部１０と取付環状部２２とを連結し、取付環状部２２が有する環の線幅よりも大きい帯幅を有することによって、取付環状部２２よりも高い剛性を有する。また、取付本体部２１は、取付可撓部２３よりも大きい帯幅を有することによって、取付可撓部２３よりも高い剛性を有する。なお、取付本体部２１が、取付環状部２２が有する厚みよりも大きい厚みを有することによって、取付環状部２２よりも高い剛性を有してもよい。また、取付本体部２１は、取付可撓部２３が有する厚みよりも大きい厚みを有することによって、取付可撓部２３よりも高い剛性を有してもよい。すなわち、一実施形態として、取付部２０は、バンド本体部１０に固定端を有した片持ち梁状を有する取付本体部２１と、取付本体部２１の自由端に位置する取付環状部２２に固定端を有した片持ち梁状を有する取付可撓部２３とを備え、取付可撓部２３の有する可撓性は、取付本体部２１の有する可撓性よりも高い。
【００２８】
各バンド端部１３，１４は、バンド本体部１０の端部を構成すると共に、調整歯１３Ｂとバンド留め具１４Ｂとの噛み合わせによって、相互に連結可能とされている。一方のバンド連結部１２は、一方のバンド端部１３と、バンド中央部１１における一方の端とを連結するラダー状を有する。他方のバンド連結部１２もまた、他方のバンド端部１４と、バンド中央部における他方の端とを連結するラダー状を有する。
【００２９】
バンド中央部１１は、バンド中央部１１の延在方向Ａ１に延びるラダー状を有する。バンド中央部１１は、上下一対の中央フレーム１５Ａ，１５Ｂと、一対の中央フレーム１５Ａ，１５Ｂを架橋する複数の中央架橋フレーム１６とを備える。吊下げ部の一例である２つの取付部２０は、バンド中央部１１の中心軸Ｃを挟み、上側中央フレーム１５Ｂから上方に延びている。
【００３０】
下側中央フレーム１５Ａは、下方に向けて凸となる緩やかな弧を描く細線状を有する。上側中央フレーム１５Ｂは、それの延在方向Ａ１における中央部で、下側中央フレーム１５Ａに対する相似形を有し、それの延在方向Ａ１における両端部で、下側中央フレーム１５Ａよりも小さい曲率半径を有した弧を描く波線状を有する。各中央架橋フレーム１６は、一対の中央フレーム１５Ａ，１５Ｂよりも厚さが薄い細線状を有し、一対の中央フレーム１５Ａ，１５Ｂの間の距離を維持する機能を有する。
【００３１】
下側中央フレーム１５Ａのなかで中央架橋フレーム１６が接続する部位は、上側中央フレーム１５Ｂのなかでその中央架橋フレーム１６が接続する部位よりも、バンド中央部１１の中心軸Ｃに近い。言い換えれば、バンド中央部１１の中心軸Ｃを挟み左右一対となる中央架橋フレーム１６は、バンド中央部１１の中心軸Ｃ上に屈曲部を有したＶ字上に位置する。
【００３２】
こうした各中央架橋フレーム１６の配置によれば、各中央架橋フレーム１６が単に中心軸Ｃに沿って延びる構成と比べて、上側中央フレーム１５Ｂが下側中央フレーム１５Ａよりも引き延ばされることを、各中央架橋フレーム１６がそれの変形によって許容しやすい。
【００３３】
各バンド連結部１２は、バンド中央部１１の延在方向Ａ１と交差するラダー状を有する。各バンド連結部１２は、上下一対の連結フレーム１７Ａ，１７Ｂと、一対の連結フレーム１７Ａ，１７Ｂを架橋する３つの架橋フレーム１８とを備える。
【００３４】
図１の左側に位置する下側連結フレーム１７Ａは、下側中央フレーム１５Ａの左端と一体であり、左上方に向けて凸となる弧を描く細線状を有する。図１の左側に位置する上側連結フレーム１７Ｂは、上側中央フレーム１５Ｂの左端と一体であり、これもまた左上方に向けて凸となる弧であって、下側連結フレーム１７Ａよりも大きい曲率半径を有した弧を描く細線状を有する。吊下げ部の一例である１つの取付部２０は、この上側連結フレーム１７Ｂから左上方に向けて延びている。
【００３５】
図１の右側に位置する下側連結フレーム１７Ａは、下側中央フレーム１５Ａの右端と一体であり、右上方に向けて凸となる弧を描く細線状を有する。図１の右側に位置する上側連結フレーム１７Ｂは、上側中央フレーム１５Ｂの右端と一体であり、これもまた右上方に向けて凸となる弧であって、下側連結フレーム１７Ａよりも大きい曲率半径を有した弧を描く細線状を有する。吊下げ部の一例である１つの取付部２０は、この上側連結フレーム１７Ｂから右上方に向けて延びている。
【００３６】
各バンド連結部１２において、各架橋フレーム１８は、一対の連結フレーム１７Ａ，１７Ｂよりも厚さが薄い細線状を有し、一対の連結フレーム１７Ａ，１７Ｂの間の距離を維持する機能を有する。ヘルメット用ヘッドバンドは、中心軸Ｃに対してほぼ線対称となる形状を有し、各架橋フレーム１８もまた、中心軸Ｃに対してほぼ線対称となる形状を有し、かつ、バンド中央部１１の延在方向Ａ１に沿って延びる直線状を有する。
【００３７】
図２が示すように、ヘルメット用ヘッドバンドの平面視において、バンド中央部１１と左右一対のバンド連結部１２とは、バンド中央部１１の延在方向Ａ１に沿って延びる直線状を有する。これに対して、左右一対のバンド端部１３，１４は、バンド中央部１１の延在方向Ａ１と直交する内側方向Ａ２において凹となる緩やかな曲線状を有する。
【００３８】
バンド本体部１０は、一方のバンド端部１３が有する調整歯１３Ｂと、他方のバンド端部１４が有するバンド留め具１４Ｂとが噛み合い、一対のバンド端部１３,１４が相互に連結された状態で環形状を有する。一方のバンド端部１３が有する帯状部１３Ａは、可撓性を有すると共に、外部からの応力が取り除かれた状態では、バンド本体部１０が作る環形状に追従した曲面状を有する弾性を有する。他方のバンド端部１４もまた、可撓性を有すると共に、外部からの応力が取り除かれた状態では、バンド本体部１０が作る環形状に追従した曲面状を有する弾性を有する。
【００３９】
図３が示すように、一方のバンド端部１３は、バンド端部１３の延在方向に沿って延びる表面を有した帯状部１３Ａと、帯状部１３Ａの表面に並ぶ複数の調整歯１３Ｂとを備える。各調整歯１３Ｂは、バンド端部１３の幅方向ＡＷから見て、帯状部１３Ａの表面から内側方向Ａ２とは反対方向に向けて細くなる三角形状を有する。また、各調整歯１３Ｂは、バンド端部１３の延在方向から見て、幅方向ＡＷにおける幅が先端に向けて小さくなる形状を有する。
【００４０】
バンド端部１３は、バンド本体部１０が作る環形状に追従した曲線状を有する補強部１３Ｔを備える。補強部１３Ｔは、各調整歯１３Ｂの幅方向ＡＷにおけるほぼ中央に対し、相互に隣り合う調整歯１３Ｂを連結すると共に、帯状部１３Ａの表面からは、調整歯１３Ｂが有する高さＴとほぼ同じ高さを有する。言い換えれば、バンド端部１３を構成する各調整歯１３Ｂは、それとほぼ同じ高さを有し、かつ、環形状に追従した曲線状を有する補強部１３Ｔによって連結される。
【００４１】
こうしたバンド端部１３の構造であれば、帯状部１３Ａの厚みが薄い構造であっても、バンド端部１３の全体における形状を上記環形状に追従させることが容易であり、また、各調整歯１３Ｂが帯状部１３Ａに対して倒れることを抑えることが可能でもある。そして、バンド本体部１０が全体として可撓性を有する一方で、それのなかでも、バンド中央部１１やバンド連結部１２と比べ、バンド端部１３はそれの形状の保持性を補強部１３Ｔの剛性によって高められている。
【００４２】
図４が示すように、被取付部Ｆは、例えば、取付部２０が取り付けられる取付対象の一例であるハンモックに備えられ、被取付部Ｆの先端が取付孔Ｈを有する。なお、被取付部Ｆは、例えば、帽体３０に装着されるハンモック以外の内装物が備えてもよいし、取付対象の一例である帽体３０そのものが備えてもよく、取付部２０を留める構造を有していればよい。ハンモックは、可撓性を有した樹脂部材であって、例えば、低密度ポリエチレン（ＬＤＰＥ）、直鎖状低密度ポリエチレン（Ｌ−ＬＤＰＥ）、高密度ポリエチレン（ＨＤＰＥ)、ポリプロピレン（ＰＰ）、ポリアセタール(ＰＯＭ）、ポリアミド（ＰＡ）から形成される。帽体３０は、例えば、アクリロニトリルブタジエンスチレン（ＡＢＳ）、ポリカーボネート（ＰＣ)、ガラス繊維強化プラスチック（ＦＲＰ）、炭素繊維強化プラスチック（ＣＦＲＰ）から形成される。
【００４３】
各取付部２０は、取付部２０の先端に位置する取付環状部２２と、取付可撓部２３と、留め部２４とを備える。取付可撓部２３は、取付環状部２２と一体である固定端２３Ａを有し、かつ、取付環状部２２の環内に自由端を有する片持ち梁状を有する。留め部２４は、取付可撓部２３の自由端に位置し、被取付部Ｆに留まる構造を有する。
【００４４】
例えば、被取付部Ｆの先端が取付孔Ｈを有する構成であれば、留め部２４は、被取付部Ｆが有する取付孔Ｈに嵌合する一対の鍵爪として構成され、一対の鍵爪の間隙が縮められることによって、取付孔Ｈから外される。すなわち、取付部２０の先端は、被取付部Ｆに留まる構造を有した留め部２４と、留め部２４の周囲にコ字状を有した貫通孔２２Ｈとを備え、こうした貫通孔２２Ｈの形状によって、片持ち梁状の取付可撓部２３と取付環状部２２とが取付部２０の先端に区画される。
【００４５】
取付部２０の先端に位置する取付可撓部２３は、取付可撓部２３と取付環状部２２との隙間である貫通孔２２Ｈを用い、取付部２０に対する被取付部Ｆの相対的な位置に合わせて、撓んだり捩れたりする。例えば、延在方向Ａ１に沿った軸を中心とする撓み方向Ｄ２に沿って取付可撓部２３は撓み、また、幅方向ＡＷに沿った軸を中心とする捩じれ方向Ｄ１に沿って取付可撓部２３は捩じれる。それゆえに、取付対象に対するヘルメット用ヘッドバンドの相対的な位置を、広い範囲で変えることが可能である。結果として、着用者の頭部の形状とヘルメット用ヘッドバンドの環形状との整合性を高めることが可能である。
【００４６】
取付可撓部２３の固定端２３Ａは、取付可撓部２３の自由端よりも連結部分２２Ａから離れている。詳述すると、取付可撓部２３の固定端２３Ａは、取付環状部２２の内縁のうちで上側に位置し、取付可撓部２３の自由端は、取付環状部２２の内縁のうちで下側に位置し、取付環状部２２の下端が連結部分２２Ａである。すなわち、各取付部２０において、取付可撓部２３の固定端２３Ａと、連結部分２２Ａとは、取付可撓部２３の自由端を挟んで相互に対向している。
【００４７】
取付可撓部２３の固定端２３Ａと一体である取付環状部２２は、取付可撓部２３が撓んだり捩じれたりすることに際し、それに伴う応力を取付可撓部２３から受け、また、取付可撓部２３から受ける応力を取付本体部２１へ伝える。一方で、上述したように、取付本体部２１は、取付環状部２２が有する環の線幅よりも大きい帯幅を有することによって、取付環状部２２よりも高い剛性を有する。取付本体部２１が有するこうした構造は、取付部２０の機械的な強度、特に、取付環状部２２の機械的な強度を高める。
【００４８】
ここで、上述した構成では、取付可撓部２３の固定端２３Ａが取付環状部２２と一体であり、かつ、取付可撓部２３の固定端２３Ａが取付可撓部２３の自由端よりも連結部分２２Ａから離れている。そのため、固定端２３Ａと連結部分２２Ａとが一体である構成と比べて、取付可撓部２３から取付環状部２２に伝わる応力に従って、取付環状部２２が変形しやすい。
【００４９】
例えば、撓み方向Ｄ２に沿って取付可撓部２３が撓むとき、その撓み方向Ｄ２に沿った応力に従って、取付環状部２２も撓み方向Ｄ２に沿って撓みやすい。また、捩じれ方向Ｄ１に沿って取付可撓部２３が捩じれるとき、その捩じれ方向Ｄ１に沿った応力に従って、取付環状部２２も捩じれ方向Ｄ１に沿って捩じれやすい。それゆえに、取付可撓部２３の自由端が変位する範囲を取付環状部２２の変位によって広げることが可能であって、着用者の頭部の形状とヘルメット用ヘッドバンドの環形状との整合性を、さらに高めることが可能でもある。
【００５０】
図５が示すように、ヘルメットは、中空半球状を有した帽体３０と、ヘルメット用ヘッドバンドとを備える。帽体３０の内側には、上述した被取付部Ｆが帽体３０の周方向に沿って位置する。ヘルメット用ヘッドバンドが備える各取付部２０は、帽体３０の内側に位置する被取付部Ｆに取り付けられ、一対のバンド端部１３，１４が相互に連結されることによって、環形状を有する。
【００５１】
ここで、ラダー状を有した各バンド連結部１２は、バンド中央部１１を含む面ＳＨ内から下方に向けて突き出るように延びる。一方で、各バンド連結部１２に含まれる架橋フレーム１８は、バンド中央部１１を含む面ＳＨとほぼ平行な方向、詳しくは、帽体３０の周方向に延びる。そして、各バンド連結部１２においては、各架橋フレーム１８が、バンド中央部１１を含む面とほぼ平行な構造体である。そのため、各バンド連結部１２に含まれる一対の連結フレーム１７Ａ，１７Ｂに対しては、これらバンド連結部１２に共通する折れ線として架橋フレーム１８が機能し得る。
【００５２】
例えば、着用者の頭部に対してバンド本体部１０が締め付けられるとき、バンド端部１３に対するバンド端部１４の位置が調整される。この際に、ハンモックの高さや帽体３０の高さは、着用者の頭頂部によってほぼ固定されるため、各取付部２０の高さも、およそ固定される。そして、バンド本体部１０が作る環形状の中心に向けて、バンド本体部１０の全体が変位する。結果として、ハンモックや帽体などの取付対象とバンド本体部１０とを接続する各取付部２０は、こうしたバンド本体部１０の変位に伴い、取付部２０の先端よりも取付部２０の基端が径方向の内側に位置するように変位する。
【００５３】
この際、帽体３０の周方向に分散する各取付部２０が共通する形状を有するため、各取付部２０の変位も同程度であり、バンド本体部１０の作る環形状が歪に変形することが抑えられる。そして、各取付可撓部２３の自由端の変位が各取付環状部２２の変形に伴って広げられもするため、バンド本体部１０の縮径に対して適応することが容易でもある。
【００５４】
また、着用者の後頭部が有する形状は、着用者の首に近い部位ほど、上述した環形状の径方向の内側に位置する。そのため、着用者の後頭部と対向する部分であるバンド端部１３,１４は、バンド本体部１０が有する他の部位よりも環形状の内側に変位しやすいことが好ましい。この点、上述したヘルメット用ヘッドバンドの構成によれば、架橋フレーム１８を折れ線とする折れ曲がり方向Ｄ３に沿って、各バンド連結部１２は折れ曲がりやすく、それによって、バンド端部１３,１４が上述した環形状の径方向の内側へ変位しやすい。それゆえに、着用者の頭部の形状とヘルメット用ヘッドバンドの形状との整合性を高めること、特に、着用者の後頭部の位置とバンド端部１３，１４の位置との整合性を高めることが可能でもある。
以上、上記実施の形態によれば、以下に列挙する効果が得られる。
【００５５】
（１）取付部２０が被取付部Ｆに取り付けられた状態において、取付部２０の先端に位置する取付可撓部２３が、取付部２０に対する被取付部Ｆの相対的な位置に合わせて、撓んだり捩れたりする。そのため、着用者の頭部の形状とヘルメット用ヘッドバンドの環形状との整合性を高めることが可能である。
【００５６】
（２）取付可撓部２３から取付環状部２２に伝わる応力に従って、取付環状部２２も変形しやすいため、着用者の頭部の形状とヘルメット用ヘッドバンドの環形状との整合性を、さらに高めることが可能でもある。
【００５７】
（３）架橋フレーム１８を折れ線として各バンド連結部１２が同じ方向に折れ曲がりやすいため、特に、着用者の後頭部とバンド端部１３，１４との位置の整合性を高めることが可能である。
【００５８】
（４）各バンド端部１３，１４が、バンド本体部１０の作る環形状に追従した曲面状を有するため、バンド端部全体の有する形状を着用者の頭部の形状に整合させる作業が容易でもある。
【００５９】
（５）各取付可撓部２３の自由端においてそれの変位する程度が相互にほぼ等しいため、バンド本体部１０が作る環形状の縮径に対して適応することが容易である。
なお、上記実施形態は以下のように変更して実施することができる。
［取付可撓部］
【００６０】
・ヘルメット用ヘッドバンドに含まれる全ての取付部２０は、取付可撓部２３を有する取付部２０と、取付可撓部２３を有しない取付部２０とが含まれてもよい。取付可撓部２３を有しない取付部２０の構成として、例えば、上述した取付可撓部２３の自由端と連結部分２２Ａとが一体である構成が挙げられる。なお、取付可撓部２３の自由端と連結部分２２Ａとが一体である構成であれば、取付部２０そのものの機械的な耐性を高めることが可能であるため、取付可撓部２３を有する取付部２０と、取付可撓部２３を有しない取付部２０とが含まれるヘルメット用ヘッドバンドであれば、それの機械的な耐性を高めることが可能でもある。
【００６１】
・ヘルメット用ヘッドバンドに含まれる全ての取付部２０には、取付可撓部２３の固定端２３Ａの位置が相互に異なる取付部２０が含まれてもよい。例えば、取付可撓部２３の固定端２３Ａと連結部分２２Ａとが取付可撓部２３の自由端を挟んで相互に対向する取付部２０と、取付可撓部２３の自由端と連結部分２２Ａとが取付可撓部２３の固定端を挟んで相互に対向する取付部２０とが含まれてもよい。
【００６２】
・取付可撓部２３の固定端２３Ａは、取付環状部２２の内縁と一体であればよく、例えば、取付可撓部２３の自由端と連結部分２２Ａとが取付可撓部２３の固定端を挟んで相互に対向するように、固定端２３Ａが配置されてもよい。
【００６３】
・取付部２０は、ヘルメット用ヘッドバンドにおいて、バンド本体部１０と相互に異なる部材であってもよい。例えば、取付部２０とバンド本体部１０とが各別の部材として構成され、これらが相互に留められる構成であってもよい。さらに、取付本体部２１と取付環状部２２とが相互に異なる部材として構成され、これらが相互に留められる構成であってもよい。
【００６４】
また、被取付部は、被取付部材において、被取付部材を構成する部材本体と相互に異なる部材であってもよい。例えば、被取付部材がハンモックであるとき、ハンモックは、ハンモック本体と被取付部とから構成され、これらが相互に留められる構成であってもよい。
【００６５】
・上記実施形態では、ヘルメット用内装物がヘルメット用ヘッドバンドであって、取付対象がハンモックおよび帽体の少なくとも一方である例を説明した。これを変更し、例えば、ヘルメット用内装物がハンモックであって、そのハンモックが上述した取付部２０を含み、この際、ハンモックの取付対象が、帽体およびヘルメット用ヘッドバンドの少なくとも一方であってもよい。すなわち、可撓性を有した取付部を備えるヘルメット用内装物がハンモックやヘルメット用ヘッドバンドであって、被取付部を備える取付対象がヘルメット用ヘッドバンド、ハンモック、および、帽体の少なくとも１つであって、ヘルメット用内装物とは異なる構成であればよい。
［バンド端部］
【００６６】
・２つのバンド端部１３，１４の少なくとも一方は、それが十分に高い可撓性を有し、バンド本体部１０に対する平面視において直線状を有してもよい。例えば、バンド端部１４は、バンド本体部１０が作る環形状に沿った曲面状を有し、これに対し、バンド端部１３は、バンド本体部１０に対する平面視において直線状を有してもよい。
【００６７】
・バンド端部１３から補強部１３Ｔが省略されてもよい。補強部１３Ｔが省略されたバンド端部１３であれば、複数の調整歯１３Ｂの構造を簡素なものとすることが可能であるから、ヘルメット用ヘッドバンドの製造に要する負荷を軽減することが可能でもある。
【００６８】
・バンド端部１４を構成するバンド本体とバンド留め具１４Ｂとは、別部材であってもよい。バンド端部１４を構成するバンド本体とバンド留め具１４Ｂとが別部材であれば、一対のバンド端部を相互に留めることに特化した構造をバンド留め具１４Ｂに採用することが容易ともなる。
［バンド連結部］
【００６９】
・バンド連結部１２に含まれる全ての架橋フレーム１８は、バンド中央部１１の延在方向Ａ１と交差する方向に延びる架橋フレーム１８を含んでもよい。バンド中央部１１の延在方向Ａ１に沿って延びる架橋フレーム１８を少なくとも１つ含む構成であれば、上述した効果に準じた効果を得ることはできる。なお、全ての架橋フレーム１８が、バンド中央部１１の延在方向Ａ１と交差する方向に延びる構成であってもよい。
・バンド連結部１２は、ラダー状に限らず、例えば平板状を有してもよく、バンド中央部１１とバンド端部とを連結する構成であればよい。
上記実施の形態、および、変形例から導かれる技術的思想を以下に示す。
［付記１］
【００７０】
ヘルメット用ヘッドバンドに含まれる可撓性を有したバンド本体部を備え、
前記バンド本体部は、
前記バンド本体部の両端部であって相互に連結可能とした一対のバンド端部と、
前記一対のバンド端部に挟まれたバンド中央部と、
前記バンド中央部が有する各端部と前記バンド端部とを連結するラダー状を有した一対のバンド連結部とを備え、
前記バンド中央部の延在方向と、前記各バンド連結部の延在方向とが相互に交差し、
前記各バンド連結部は、前記バンド連結部の延在方向に延びる一対の連結フレームと、前記バンド中央部の延在方向に延びて前記一対の連結フレームを架橋する架橋フレームとを備えるヘルメット用ヘッドバンド。
【００７１】
付記１に記載のヘルメット用ヘッドバンドによれば、各バンド連結部に含まれる架橋フレームが、バンド中央部を含む面とほぼ平行な構造体であるため、各バンド連結部に含まれる一対の連結フレームに対しては、相互に共通する折れ線として機能し得る。結果として、架橋フレームを折れ線として各バンド連結部が同じ方向に折れ曲がりやすいため、着用者の頭部における一部とバンド端部との位置の整合性を高めることが可能である。
［付記２］
【００７２】
ヘルメット用ヘッドバンドに含まれる可撓性を有したバンド本体部を備え、
前記バンド本体部は、
前記バンド本体部の両端部であって相互に連結可能とした一対のバンド端部を備え、
前記バンド本体部は、前記一対のバンド端部が連結された状態で環形状を有し、
一方のバンド端部は、当該バンド端部の延在方向に延びる表面を有した帯状部と、前記帯状部の延在方向に沿って前記帯状部の表面に並ぶ複数の調整歯とを備え、
他方のバンド端部は、前記調整歯と噛み合うバンド留め具を備え、
前記帯状部は、前記環形状に追従した曲面状を有し、
前記一方のバンド端部は、相互に隣り合う前記調整歯を結び前記環形状に追従した曲線状を有する補強部を備えるヘルメット用ヘッドバンド。
【００７３】
付記２に記載のヘルメット用ヘッドバンドによれば、一方のバンド端部を構成する帯状部が、環形状に追従した曲面状を有し、また、そのバンド端部を構成する複数の調整歯が、同じく環形状に追従した曲線状を有する補強部によって結ばれている。それゆえに、一方のバンド端部全体の有する形状を環形状に追従させることが容易であって、一方のバンド端部が有する形状を着用者の頭部の一部に整合性させる作業が容易でもある。
【符号の説明】
【００７４】
Ａ１…延在方向、ＡＷ…幅方向、Ｃ…中心軸、Ｄ１…捩れ方向、Ｄ２…撓み方向、Ｆ…被取付部、Ｈ…取付孔、１０…バンド本体部、１１…バンド中央部、１２…バンド連結部、１３，１４…バンド端部、１３Ａ…帯状部、１３Ｂ…調整歯、１３Ｔ…補強部、１４Ｂ…バンド留め具、１５Ａ…下側中央フレーム、１５Ｂ…上側中央フレーム、１６…中央架橋フレーム、１７Ａ…下側連結フレーム、１７Ｂ…上側連結フレーム、１８…架橋フレーム、２０…取付部、２１…取付本体部、２２…取付環状部、２２Ａ…連結部分、２２Ｈ…貫通孔、２３…取付可撓部２３Ａ…固定端、２４…留め部、３０…帽体。
【図１】
0006665486.tif 000002
【図２】
0006665486.tif 000003
【図３】
0006665486.tif 000004
【図４】
0006665486.tif 000005
【図５】
0006665486.tif 000006